(57)【要約】      （修正有）【課題】狭い所でのねじ締めが容易にでき、作業性，取扱性もよく、周囲のものへの損傷もなく、軸の損傷もなく、かつ識別性があるロングビットホルダを提供する。【解決手段】端部にビット７の把持部６を取り付ける軸１はそのほとんどの部分を軽合金（アルミ）パイプ２により被覆され、この軽合金パイプ２の端面には内部にスプリング４を介設する樹脂（ポリアセタール）キャップ３により被覆される。締め付け作業は軽合金パイプの任意の部位を把持して行う。【選択図】図２
0003145597.tif 000002
【実用新案登録請求の範囲】
【請求項１】
軸長の長い軸の端側にビットを把握してなるロングビットホルダであって、該ホルダは、前記軸の外径を覆う軽合金パイプと、前記軸に摺動可能に挿入され該パイプの両端に圧入される樹脂キャップとを有するものからなり、前記樹脂キャップの内穴の奥面と前記軽合金パイプの端面との間にはスプリングが介設されることを特徴とするロングビットホルダ。
【請求項２】
前記軸が六角断面形状のものからなり、前記軽合金パイプがアルミ材からなり、前記樹脂キャップがポリアセタール材からなることを特徴とする請求項１に記載のロングビットホルダ。
【請求項３】
前記樹脂キャップが寸法変化に対応した色変りのものからなることを特徴とする請求項１又は請求項２に記載のロングビットホルダ。
【考案の詳細な説明】
【技術分野】
【０００１】
本考案は、ビットホルダの内、長軸のロングビットホルダに係り、特に、締め付け作業時において周囲の物への損傷が発生せず、安定した回転ができ、寿命が長く、かつ識別性を有するロングビットホルダに関する。
【背景技術】
【０００２】
ビットを一端側に把握するビットホルダとしては各種の公知技術があり、広く使用されている。例えば、「特許文献１」や「特許文献２」が挙げられる。
【特許文献１】特開２００６−２３９８４０号（図７）
【特許文献２】特開２００７−１１１７９０号（図５）
【考案の開示】
【考案が解決しようとする課題】
【０００３】
「特許文献１」の「特開２００６−２３９８４０号」の「工具ビットのホルダー構造」は、ビット交換が容易にでき、ネジを締めてからビットの締付トルクがリリースできる構造のものからなり、スプリング（２１１）を用いている点においては本考案と似ている部分があるが、軸部（２）は短軸であり、これを被覆しているパイプもなく、本考案の樹脂キャップと同一類似のものもなく、構成要素が大きく相異するものである。
また、「特許文献２」の「特開２００７−１１１７９０号」の「ビットホルダー」は片頭ビットだけでなく、両頭ビットも兼用できるものであり、弾発部（スプリング）（１８）を使用しているものであるが、長軸でなく、被覆するパイプもなく、本考案のような樹脂キャップもなく、主要構成において大きく相異するものである。
また、本考案の出願人の先行技術調査によれば、ロングビットホルダに関する公知技術は見当らない。
【０００４】
本考案は、以上の事情に鑑みて考案されたものであり、長軸からなるため狭い所での作業が容易でき、自由に握り位置が変えられるためブレを抑えて安定した作業ができ、軽合金パイプで軸を被覆しているため締め付け作業時において周囲の物への傷付けがなく、軽合金パイプもその端部を樹脂キャップで保護されるため損傷がなく、かつ識別性もあるロングビットホルダを提供することを目的とする。
【課題を解決するための手段】
【０００５】
本考案は、以上の目的を達成するために、請求項１の考案は、軸長の長い軸の端側にビットを把握してなるロングビットホルダであって、該ホルダは、前記軸の外径を覆う軽合金パイプと、前記軸に摺動可能に挿入され該パイプの両端に圧入される樹脂キャップとを有するものからなり、前記樹脂キャップの内穴の奥面と前記軽合金パイプの端面との間にはスプリングが介設されることを特徴とする。
【０００６】
また、請求項２の考案は、前記軸が六角断面形状のものからなり、前記軽合金パイプがアルミ材からなり、前記樹脂キャップがポリアセタール材からなることを特徴とする。
【０００７】
また、請求項３の考案は、前記樹脂キャップが寸法変化に対応した色変りのものからなることを特徴とする。
【考案の効果】
【０００８】
本考案の請求項１のロングビットホルダによれば、まず、長軸のものからなり、狭い所にあるねじ締めが容易にできると共に軸が軽合金パイプで被覆されているため周囲の物に当っても傷をつけることがなく、また、軽合金パイプもその端面を樹脂キャップで覆われているため損傷がなく、また、スプリングを有するために握持部位全体を軸線方向に移動することもでき、作業性の向上を図ることができる。
【０００９】
また、本考案の請求項２のロングビットホルダによれば、軸が一般のビットホルダに用いられている六角形状のものからなり、軽合金パイプもアルミ材からなり、かつ樹脂キャップも一般的なポリアセタールからなり、全体として比較的安価に実施することができる。
【００１０】
また、本考案の請求項３のロングビットホルダによれば、樹脂キャップの色を変えることにより長さ等の寸法の異なるものとで識別性が生じ、取扱性の向上が図れる。
【考案を実施するための最良の形態】
【００１１】
以下、本考案のロングビットホルダの実施の形態を図面を参照して詳述する。
図１は本考案のロングビットホルダ１００の全体構造を示す平面図であり、図２はそのＡ−Ａ線断面図であり、図３は本考案の主要部の詳細構造を説明するための部分拡大断面図であり、図４は長さの異なる数種類（図示では４種類）のロングビットホルダを示す平面図である。
【実施例１】
【００１２】
図１及び図２に示すように、本考案（本実施例）のロングビットホルダ１００は六角状の軸１と、これを被覆するアルミ材からなる軽合金パイプ２と、ポリアセタールからなる樹脂キャップ３及びスプリング４等とからなる。なお、軸１の断面形状や軽合金パイプ２の材質や樹脂キャップの材質等については前記のものに限定するものではない。
また、図１及び図２では軸１の一端部にビット７を把握する把持部６が軸１にピン８等により連結されているが、この把持部６は一般的の構造のものからなり、その構造説明は省略する。また、この把持部６は軸１の両端に設けてもよい。
【００１３】
軸１は長軸の細長のものからなり、本実施例では六角状の横断面形状のものからなり、鉄材からなる。
【００１４】
アルミ材からなる軽合金パイプ２は軸１に緩挿される内径のものからなり、図示のように把持部６が連結される部位を除く軸１の全体を被覆して挿設される。
【００１５】
図３によく示すように、ホリアセタール材からなる樹脂キャップ３はその内部に穴３ａとこの穴３ａより小径の穴３ｂを段付形成し、その外面の一部にテーパ部３ｃを形成するキャップ状のものからなる。穴３ａは軽合金パイプ２が圧入可能な寸法からなり、穴３ｂとの間に平な奥面３ｄを形成するものからなる。また、穴３ｂは軸１が緩挿可能な内径からなる。
【００１６】
図３に示すように、軽合金パイプ２は樹脂キャップ３にその端面側を圧入されるが、その端面２ａと穴３ａの奥面３ｄとの間には空隙９が形成される。この空隙９内にはスプリング４が介設され、スプリング４は平座金５，５を介して軽合金パイプ２の端面２ａと奥面３ｄの間に介設される。
【００１７】
このロングセットホルダ１００を用いてのねじ締め作業は、軽合金パイプ２の部分を把持して行うが、全体としてロングビットホルダ１００が長く細いため狭い部分にあるねじ締が容易にできる。
【００１８】
また、長軸のため、ねじ締めにおいて軽合金パイプ２の任意の場所を把持することができるため、締め付け作業時の作業性の向上が図られる。また、軽合金パイプ２があるため、仮にロングビットホルダ１００が周囲の物に当っても周囲のものを傷付けることがない。また、軸１の損傷もない。更に、軽合金パイプ２の端面が樹脂キャップ３で覆われているため端面の傷付きも生じない。更に、スプリング４の存在により軽合金バイプ２を軸線方向に動かすことが可能になり、作業性の向上が図れる。
【００１９】
図４に示すように、本考案のロングビットホルダ１００は軸長の相異するものがある。この場合、図示のように樹脂キャップ３の色を変えることにより、識別が容易にできる。図示では、最も長いものが青色でその次のものが赤で、次のものが黄色で、最も短いものが緑色となり、区別しているが勿論、これに限定するものではない。
【００２０】
本考案のロングビットホルダ１００は以上の説明の内容のものからなるが、以上の内容のものに限定するものではなく、同一技術的範疇のものが適用されることは勿論である。
【産業上の利用可能性】
【００２１】
本考案は、ロングビットホルダに関するものであるが、その寸法，形状は前記のものに限定するものではなく、同種類のものに適用され、その利用範囲は広い。
【図面の簡単な説明】
【００２２】
【図１】本考案のロングビットホルダの全体構造を示す平面図。
【図２】図１のＡ−Ａ線断面図。
【図３】本考案のロングビットホルダの主要部分の詳細構造を示す部分拡大断面図。
【図４】寸法の異なるロングビットホルダの数種類のものを示す平面図。
【符号の説明】
【００２３】
１    軸
２    軽合金パイプ
２ａ  端面
３    樹脂キャップ
３ａ  穴
３ｂ  穴
３ｃ  テーパ部
３ｄ  奥面
４    スプリング
５    平座金
６    把持部
７    ビット
８    ピン
９    空隙
【図１】
0003145597.tif 000003
【図２】
0003145597.tif 000004
【図３】
0003145597.tif 000005
【図４】
0003145597.tif 000006